(57)【要約】【課題】  撮影画像を中心としたコンテンツに、音楽コンテンツを適切に組み合わせ設定できる再生装置、編集装置、編集方法、およびコンテンツ編集用のプログラムを提供する。【解決手段】  編集リストに音楽のコンテンツを登録する際には、音楽のオブジェクトが表された音楽フォルダ８１を編集リストとともに表示して、音楽メニューから編集リストの音楽コンテンツの領域移動された音楽オブジェクト（ｍｕｓｉｃＸ）について、音楽オブジェクトの移動された位置を時間軸に基づいて日時に換算して、その日時を音楽コンテンツの再生タイミングの基準として、その音楽を登録する。  【選択図】  図１８
2009290403.tif 000002
【特許請求の範囲】
【請求項１】
少なくとも撮影画像を含む複数種類のコンテンツからなるマルチコンテンツを再生する再生装置において、
上記撮影画像のコンテンツについてはその撮影日時を再生タイミングの基準とし、他のコンテンツについてはそれぞれに付された時間を再生タイミングの基準として、これらコンテンツのデータを再生するコンテンツ再生部と、
上記コンテンツ毎に区分けされた領域を１列に並べ、それと交差する方向を時間軸にした画面を作成し、上記マルチコンテンツの各データをそれぞれ表すオブジェクトを、そのコンテンツの種類とそのコンテンツの再生タイミングに基づいて、その画面の相当する場所に配置した編集リストを表示して、この編集リスト上で上記マルチコンテンツの再生タイミングを編集するコンテンツ編集部と、
を備え、
上記コンテンツ編集部は、当該編集リストに音楽のコンテンツを登録する際には、当該音楽のオブジェクトが表された音楽メニューを上記編集リストとともに表示して、上記音楽メニューから上記編集リストの音楽コンテンツの領域移動された音楽オブジェクトについて、当該音楽オブジェクトの移動された位置を上記時間軸に基づいて日時に換算して、その日時を当該音楽コンテンツの再生タイミングの基準として、その音楽を登録することを特徴とする再生装置。
【請求項２】
上記コンテンツ編集部は、上記音楽コンテンツに付する時間として、その時間帯の先頭の時間を付することを特徴とする請求項１に記載の再生装置。
【請求項３】
上記コンテンツ編集部は、上記音楽コンテンツに付する時間として、その時間帯に属する撮影画像コンテンツの撮影時間の中で、最も早い撮影時間に相当する時間を付することを特徴とする請求項１に記載の再生装置。
【請求項４】
少なくとも撮影画像と音楽の２種類のコンテンツを含む複数種類のコンテンツのデータからなるマルチコンテンツを再生する再生装置において、
上記撮影画像のコンテンツについてはその撮影日時を再生タイミングの基準とし、他のコンテンツのデータについてはそれぞれに付された日時を再生タイミングの基準として、これらコンテンツのデータを再生するコンテンツ再生部と、
編集画面を上記コンテンツの種類毎に領域分けし、上記複数種類のコンテンツの各データを表すオブジェクトを、夫々のコンテンツが属する前記領域に、各コンテンツに付された日時の順番で配置し、この編集画面でコンテンツのデータの再生タイミングを編集するコンテンツ編集部と、
を備え、
上記コンテンツ編集部は、当該編集画面に音楽のコンテンツを登録する際には、その音楽コンテンツに付する日時として、当該音楽のオブジェクトを配置した位置に相当する日時、または当該音楽ファイルが作成された日時または指定された日時のうち少なくともいずれか１つの選択された日時を付して登録する、
ことを特徴とする再生装置。
【請求項５】
少なくとも撮影画像のコンテンツを含む複数種類のコンテンツからなるマルチコンテンツの再生タイミングを編集するコンテンツ編集方法であって、
上記撮影画像のコンテンツについてはその撮影日時を再生タイミングの基準とし、他のコンテンツについてはそれぞれに付された時間を再生タイミングの基準として、これらコンテンツのデータを再生するステップと、
上記マルチコンテンツの再生に先立って、上記マルチコンテンツの再生タイミングを編集するステップと、
を備え、
上記マルチコンテンツの再生タイミングを編集するステップは、
上記コンテンツ毎に区分けされた領域を１列に並べ、それと交差する方向を時間軸にした画面を作成し、
上記マルチコンテンツの各データをそれぞれ表すオブジェクトを、そのコンテンツの種類とそのコンテンツの再生タイミングに基づいて、その画面の相当する場所に配置した編集リストを表示し、
この編集リスト上で上記マルチコンテンツの再生タイミングを編集する、
ステップを有し、
当該編集リストに音楽のコンテンツを登録するステップは、
当該音楽のオブジェクトが表された音楽メニューを上記編集リストとともに表示し、
上記音楽メニューから上記編集リストの音楽コンテンツの領域移動された音楽オブジェクトについて、当該音楽オブジェクトの移動された位置を上記時間軸に基づいて日時に換算し、その日時を当該音楽コンテンツの再生タイミングの基準として、その音楽を登録する、
ことを特徴とするコンテンツ編集方法。
【請求項６】
少なくとも撮影画像のコンテンツを含む複数種類のコンテンツからなるマルチコンテンツの再生とその再生タイミングの編集をコンピュータに実行させるコンテンツ編集用のプログラムであって、
上記撮影画像のコンテンツについてはその撮影日時を再生タイミングの基準とし、他のコンテンツについてはそれぞれに付された時間を再生タイミングの基準として、これらコンテンツのデータを再生するステップと、
上記マルチコンテンツの再生に先立って、上記マルチコンテンツの再生タイミングを編集するステップと、
を備え、
上記マルチコンテンツの再生タイミングを編集するステップは、
上記コンテンツ毎に区分けされた領域を１列に並べ、それと交差する方向を時間軸にした画面を作成し、
上記マルチコンテンツの各データをそれぞれ表すオブジェクトを、そのコンテンツの種類とそのコンテンツの再生タイミングに基づいて、その画面の相当する場所に配置した編集リストを表示し、
この編集リスト上で上記マルチコンテンツの再生タイミングを編集する、
ステップを有し、
当該編集リストに音楽のコンテンツを登録するステップは、
当該音楽のオブジェクトが表された音楽メニューを上記編集リストとともに表示し、
上記音楽メニューから上記編集リストの音楽コンテンツの領域移動された音楽オブジェクトについて、当該音楽オブジェクトの移動された位置を上記時間軸に基づいて日時に換算し、その日時を当該音楽コンテンツの再生タイミングの基準として、その音楽を登録する、
ことをコンピュータに実行させることを特徴とするコンテンツ編集用のプログラム。
【請求項７】
少なくとも撮影画像を含む複数種類のコンテンツからなるマルチコンテンツを再生するにあたって再生手順を編集するための編集装置において、
上記コンテンツ毎に区分けされた領域を１列に並べ、それと交差する方向を時間軸にした画面を作成し、上記マルチコンテンツの各データをそれぞれ表すオブジェクトを、そのコンテンツの種類とそのコンテンツの再生タイミングに基づいて、その画面の相当する場所に配置した編集リストを表示して、この編集リスト上で上記マルチコンテンツの再生タイミングを編集するコンテンツ編集部と、
を備え、
上記コンテンツ編集部は、当該編集リストに音楽のコンテンツを登録する際には、当該音楽のオブジェクトが表された音楽メニューを上記編集リストとともに表示して、上記音楽メニューから上記編集リストの音楽コンテンツの領域移動された音楽オブジェクトについて、当該音楽オブジェクトの移動された位置を上記時間軸に基づいて日時に換算して、その日時を当該音楽コンテンツの再生タイミングの基準として、その音楽を登録する
することを特徴とする編集装置。
【請求項８】
上記編集リスト上において、上記コンテンツの削除、移動、追加を行うことを特徴とする請求項７に記載の編集装置。
【請求項９】
上記音楽メニューから上記音楽コンテンツを上記編集リスト上に移動する際に、上記音楽コンテンツに、上記編集リスト上の時間帯の先頭の時間を付することを特徴とする請求項７に記載の編集装置。
【請求項１０】
上記音楽メニューから上記音楽コンテンツを上記編集リスト上に移動する際に、上記音楽コンテンツに、上記編集リスト上のその時間帯に属する撮影画像コンテンツの撮影時間の中で、最も早い撮影時間に相当する時間を付することを特徴とする請求項７に記載の編集装置。
【発明の詳細な説明】
【技術分野】
【０００１】
本発明は、撮影画像等を含む複数のコンテンツを再生・編集のための再生装置、編集のための編集装置、コンテンツ編集方法およびコンテンツ編集用のプログラムに関する。
【背景技術】
【０００２】
近年、インターネット等を通じて、画像データ、音楽データ、文章（テキスト）データ等、様々のカテゴリのコンテンツデータを簡単に入手できる環境となってきている。また、このようなマルチコンテンツを取り扱う機器や方法を種々開発されている。その中でも、画像に音楽を組み合わせることはアナログの時代から行われているが、デジタルデータの時代になり更に画像データに音楽データをいかに的確にリンクさせるかについての方法が種々提案されている。
【０００３】
例えば、特許文献１には、画像データのメタデータ（例えば、撮影日時、場所、天候）と音声データのメタデータを比較し、画像と音声を検索するコンテンツ再生装置が開示されている。また、特許文献２には、電子日記データ等の電子データをユーザーが作成した際に、ユーザーが聴いていた音楽等についてのオーディオ関連データを取得し、これを電子データに貼付するオーディオ再生装置が開示されている。また、このオーディオ再生装置は、電子データ上に貼付されたオーディオ関連データに対する指定操作に応じてオーディオデータの検索を行い、そのオーディオ関連データによって示される音楽等を再生したり、あるいは音楽販売サイトから入手することができる。さらに、特許文献３には、画像データと共に再生する音楽として、ユーザーの思い出に合うような音楽を選択するために、その画像が撮影された際に再生頻度の多かった音楽や当時ヒットした音楽を再生するようにしたデータ再生装置が開示されている。
【特許文献１】特開２００６−２４４００２号公報
【特許文献２】特開２００７−１１４５２号公報
【特許文献３】特開２００８−１１３９５号公報
【発明の開示】
【発明が解決しようとする課題】
【０００４】
自己の撮影した画像コンテンツと音楽コンテンツを組み合わせる場合には、画像と音楽を１つ１つ確かめながら選択するのが確実であるが、煩雑であることから、上述した特許文献に開示されているように、自動的に組み合わせる方法が種々提案されている。
【０００５】
自動的に組み合わせるにあたって、日時情報が最も利用しやすそうであるが、画像コンテンツの日時情報と、音楽コンテンツの日時情報は、同じ日時情報といっても、その違いは大きい。すなわち、画像コンテンツにおける日常法は撮影日時情報に相当することから、その画像コンテンツを再生する際のタイミングを決定するには重要な情報となりうる。一方、音楽コンテンツの日時情報は、その音楽が発売された日であったり、あるいはダウンロードされた日（データ作成日）であったりする。このため、音楽コンテンツの日時情報は、画像コンテンツの撮影日時情報のような個人の思い出に直結するような情報とはいえないことが多い。したがって、画像コンテンツに組合せる音楽コンテンツの内容およびそのタイミングを決定する際に、音楽コンテンツに付帯された日時情報にのみ頼ることはできない。音楽コンテンツに付帯された日時情報に頼らずに、撮影画像に音楽を適切なタイミングで組み合わせる手法が必要である。
【０００６】
本発明は、このような事情を鑑みてなされたものであり、撮影画像を中心としたコンテンツに、音楽コンテンツを適切に組み合わせ設定できる再生装置、編集装置、編集方法、およびコンテンツ編集用のプログラムを提供することを目的とする。
【課題を解決するための手段】
【０００７】
上記目的を達成するため第１の発明に係わる再生装置は、少なくとも撮影画像を含む複数種類のコンテンツからなるマルチコンテンツを再生する再生装置において、上記撮影画像のコンテンツについてはその撮影日時を再生タイミングの基準とし、他のコンテンツについてはそれぞれに付された時間を再生タイミングの基準として、これらコンテンツのデータを再生するコンテンツ再生部と、上記コンテンツ毎に区分けされた領域を１列に並べ、それと交差する方向を時間軸にした画面を作成し、上記マルチコンテンツの各データをそれぞれ表すオブジェクトを、そのコンテンツの種類とそのコンテンツの再生タイミングに基づいて、その画面の相当する場所に配置した編集リストを表示して、この編集リスト上で上記マルチコンテンツの再生タイミングを編集するコンテンツ編集部と、を備え、上記コンテンツ編集部は、当該編集リストに音楽のコンテンツを登録する際には、当該音楽のオブジェクトが表された音楽メニューを上記編集リストとともに表示して、上記音楽メニューから上記編集リストの音楽コンテンツの領域移動された音楽オブジェクトについて、当該音楽オブジェクトの移動された位置を上記時間軸に基づいて日時に換算して、その日時を当該音楽コンテンツの再生タイミングの基準として、その音楽を登録する。
【０００８】
第２の発明に係わる再生装置は、上記第１の発明において、上記コンテンツ編集部は、上記音楽コンテンツに付する時間として、その時間帯の先頭の時間を付する。
第３の発明に係わる再生装置は、上記第１の発明において、上記コンテンツ編集部は、上記音楽コンテンツに付する時間として、その時間帯に属する撮影画像コンテンツの撮影時間の中で、最も早い撮影時間に相当する時間を付する。
【０００９】
第４の発明に係わる再生装置は、少なくとも撮影画像と音楽の２種類のコンテンツを含む複数種類のコンテンツのデータからなるマルチコンテンツを再生する再生装置において、上記撮影画像のコンテンツについてはその撮影日時を再生タイミングの基準とし、他のコンテンツのデータについてはそれぞれに付された日時を再生タイミングの基準として、これらコンテンツのデータを再生するコンテンツ再生部と、編集画面を上記コンテンツの種類毎に領域分けし、上記複数種類のコンテンツの各データを表すオブジェクトを、夫々のコンテンツが属する前記領域に、各コンテンツに付された日時の順番で配置し、この編集画面でコンテンツのデータの再生タイミングを編集するコンテンツ編集部と、を備え、上記コンテンツ編集部は、当該編集画面に音楽のコンテンツを登録する際には、その音楽コンテンツに付する日時として、当該音楽のオブジェクトを配置した位置に相当する日時、または当該音楽ファイルが作成された日時または指定された日時のうち少なくともいずれか１つの選択された日時を付して登録する。
【００１０】
第５の発明に係わる編集方法は、少なくとも撮影画像のコンテンツを含む複数種類のコンテンツからなるマルチコンテンツの再生タイミングを編集するコンテンツ編集方法であって、上記撮影画像のコンテンツについてはその撮影日時を再生タイミングの基準とし、他のコンテンツについてはそれぞれに付された時間を再生タイミングの基準として、これらコンテンツのデータを再生するステップと、上記マルチコンテンツの再生に先立って、上記マルチコンテンツの再生タイミングを編集するステップと、を備え、上記マルチコンテンツの再生タイミングを編集するステップは、上記コンテンツ毎に区分けされた領域を１列に並べ、それと交差する方向を時間軸にした画面を作成し、上記マルチコンテンツの各データをそれぞれ表すオブジェクトを、そのコンテンツの種類とそのコンテンツの再生タイミングに基づいて、その画面の相当する場所に配置した編集リストを表示し、この編集リスト上で上記マルチコンテンツの再生タイミングを編集する、ステップを有し、当該編集リストに音楽のコンテンツを登録するステップは、当該音楽のオブジェクトが表された音楽メニューを上記編集リストとともに表示し、上記音楽メニューから上記編集リストの音楽コンテンツの領域移動された音楽オブジェクトについて、当該音楽オブジェクトの移動された位置を上記時間軸に基づいて日時に換算し、その日時を当該音楽コンテンツの再生タイミングの基準として、その音楽を登録する。
【００１１】
第６の発明に係わるプログラムは、少なくとも撮影画像のコンテンツを含む複数種類のコンテンツからなるマルチコンテンツの再生とその再生タイミングの編集をコンピュータに実行させるコンテンツ編集用のプログラムであって、上記撮影画像のコンテンツについてはその撮影日時を再生タイミングの基準とし、他のコンテンツについてはそれぞれに付された時間を再生タイミングの基準として、これらコンテンツのデータを再生するステップと、上記マルチコンテンツの再生に先立って、上記マルチコンテンツの再生タイミングを編集するステップと、を備え、上記マルチコンテンツの再生タイミングを編集するステップは、上記コンテンツ毎に区分けされた領域を１列に並べ、それと交差する方向を時間軸にした画面を作成し、上記マルチコンテンツの各データをそれぞれ表すオブジェクトを、そのコンテンツの種類とそのコンテンツの再生タイミングに基づいて、その画面の相当する場所に配置した編集リストを表示し、この編集リスト上で上記マルチコンテンツの再生タイミングを編集する、ステップを有し、当該編集リストに音楽のコンテンツを登録するステップは、当該音楽のオブジェクトが表された音楽メニューを上記編集リストとともに表示し、上記音楽メニューから上記編集リストの音楽コンテンツの領域移動された音楽オブジェクトについて、当該音楽オブジェクトの移動された位置を上記時間軸に基づいて日時に換算し、その日時を当該音楽コンテンツの再生タイミングの基準として、その音楽を登録する、ことをコンピュータに実行させる。
【００１２】
第７の発明に係わる編集装置は、少なくとも撮影画像を含む複数種類のコンテンツからなるマルチコンテンツを再生するにあたって再生手順を編集するための編集装置において、上記コンテンツ毎に区分けされた領域を１列に並べ、それと交差する方向を時間軸にした画面を作成し、上記マルチコンテンツの各データをそれぞれ表すオブジェクトを、そのコンテンツの種類とそのコンテンツの再生タイミングに基づいて、その画面の相当する場所に配置した編集リストを表示して、この編集リスト上で上記マルチコンテンツの再生タイミングを編集するコンテンツ編集部と、を備え、上記コンテンツ編集部は、当該編集リストに音楽のコンテンツを登録する際には、当該音楽のオブジェクトが表された音楽メニューを上記編集リストとともに表示して、上記音楽メニューから上記編集リストの音楽コンテンツの領域移動された音楽オブジェクトについて、当該音楽オブジェクトの移動された位置を上記時間軸に基づいて日時に換算して、その日時を当該音楽コンテンツの再生タイミングの基準として、その音楽を登録する。
【００１３】
第８の発明に係わる編集装置は、上記第７の発明において、上記編集リスト上において、上記コンテンツの削除、移動、追加を行う。
第９の発明に係わる編集装置は、上記第７の発明において、上記音楽メニューから上記音楽コンテンツを上記編集リスト上に移動する際に、上記音楽コンテンツに、上記編集リスト上の時間帯の先頭の時間を付する。
第１０の発明に係わる編集装置は、上記第７の発明において、上記音楽メニューから上記音楽コンテンツを上記編集リスト上に移動する際に、上記音楽コンテンツに、上記編集リスト上のその時間帯に属する撮影画像コンテンツの撮影時間の中で、最も早い撮影時間に相当する時間を付する。
【発明の効果】
【００１４】
本発明によれば、撮影画像を中心としたコンテンツに、音楽コンテンツを適切に組み合わせ設定できる再生装置、編集装置、編集方法、およびコンテンツ編集用のプログラムを提供することができる。
【発明を実施するための最良の形態】
【００１５】
以下、図面に従って本発明を適用した再生装置を用いて好ましい実施形態について説明する。本発明の一実施形態に係わる再生装置は、インターネットに接続可能であると共に、動画や静止画を記憶可能であり、これらの画像の再生機能や音楽データの再生機能を有するパーソナルコンピュータによって構成される。また、本実施形態に係わる再生装置は、インターネットを介して外部のデータベースより画像・音楽等のコンテンツを取得可能であり、ユーザーが撮影した画像と共に外部より取得したコンテンツの再生を行うことができる。以下、コンテンツとは、本実施形態の再生装置で利用する画像・音声・音楽・文字等のデータを総称する用語とする。そして、これらのコンテンツの集合をマルチコンテンツと呼ぶ。
【００１６】
図１は、本実施形態に係わる再生装置１の構成を示すブロック図であり、この再生装置１はパーソナルコンピュータによって構成される。この再生装置１は、制御部（ＣＰＵ（Central Processing Unit））１０、ＲＡＭ（Random Access Memory）２０、記憶部２１、表示ＩＦ（インターフェース：Interface）部２２、音声再生ＩＦ部２３、通信ＩＦ部２４、操作部２５、バス２６から構成される。また、再生装置１は、通信ＩＦ部２４およびネットワーク３２等の通信網および外部のサーバー４０を介してデータベース４１に接続可能とされている。
【００１７】
制御部（ＣＰＵ）１０は、記憶部２１のプログラム記憶部２１ａに記憶された制御プログラムに従って動作し、再生装置１の全体制御を行う。制御部１０の内部には、コンテンツ管理部１１、記録再生部１５、画像処理部１６、画面作成部１７、音声処理部１８が設けられている。
【００１８】
コンテンツ管理部１１は、マルチコンテンツの編集、再生、および検索を管理する機能であり、プログラム記憶部２１ａに記憶された制御プログラムによって実行されるが、一部をハードウエアで構成してもよい。コンテンツ管理部１１は、コンテンツ編集部１２、コンテンツ再生部１３およびコンテンツ検索部１４によって構成される。
【００１９】
コンテンツ編集部１２は、今回のマルチコンテンツの再生手順等を定める編集処理を実行し、この編集処理において編集画面の作成・切換え処理を行う。コンテンツ再生部１３は、コンテンツ再生を進行させるタイマを有し、編集されたコンテンツの組合せに従って、コンテンツの再生を制御する。コンテンツ検索部１４はネットワーク３２、サーバー４０等を経由して、外部のデータベース４１から、静止画の撮影日時、撮影場所に関連するコンテンツを検索する。この場合のコンテンツとしては、撮影日時・場所等に適合する音楽、ブログ、地図データ等である。
【００２０】
記録再生部１５は、記録部と再生部とから構成される。記録部は、コンテンツ検索部１４によって検索され、通信ＩＦ部を通じて入力した画像・音楽・地図・ブログ等のコンテンツをコンテンツ記憶部２１ｂに記録する。記録時には画像・音声等について適宜圧縮処理を行う。記録再生部１５中の再生部は、コンテンツ管理部１１からの指示に従ってコンテンツ記憶部２１ｂから指定されたコンテンツを読出し、適当な伸張処理を施す。また、編集画面用の画像データは記憶部２１に記憶されていることから、この編集画面用の画像データの読出しも行う。
【００２１】
画像処理部１６は、コンテンツ記憶部２１ｂから読み出され、伸張処理された静止画データや動画データに対してガンマ処理を施し、またシャープネス等の画像処理を施す。画面作成部１７は、コンテンツ編集部１2の指示により、編集画面用の画像データを用いて各種編集画面をＲＡＭ２０上で作成する。また、コンテンツ管理部１１の指示によりコンテンツ再生画面を作成する。コンテンツ再生画面には、画像処理された静止画動画の画像を合成する。
【００２２】
音声処理部１８は、コンテンツ再生部１３によって再生指示がなされた音声データを処理し、音声再生ＩＦ部２３を通してスピーカ装置３１から音声出力するための処理部である。記録再生部１５、画像処理部１６、画面作成部１７、音声処理部１８は、ハードウエアで構成されるが、一部をソフトウエアで実行してもよい。
【００２３】
制御部１０に接続された操作部２５は、キーボードやマウス等のユーザーインターフェースで構成され、種々の操作指令を制御部１０に入力する。ＲＡＭ２０は、揮発性のメモリであり、画像処理時等に処理用に一時的にデータを記憶する。記憶部２１は、制御用のプログラム記憶部２１ａと、種々のコンテンツ記憶部２１ｂを有し、フラッシュメモリやハードディスク等の大容量記憶装置で構成されている。
【００２４】
コンテンツ記憶部２１ｂは、静止画、動画、音楽、テキスト、地図等のイメージ等、種々のコンテンツのデータを記憶している。ここで、静止画や動画としては、ユーザーが自ら撮影したもの以外にも外部のデータベース４１から取得したものも含まれる。音楽、テキスト、地図等のイメージは、主として外部のデータベース４１から取得するが、ユーザーが自ら作成したものでも勿論かまわない。
【００２５】
表示ＩＦ部２２は、外部のモニタ装置３０に接続され、制御部１０内の画像処理部１６や画面作成部１７によって生成された画像をモニタ装置３０に表示させるよう信号の変換を行う。音声再生ＩＦ部２３は、外部のスピーカ装置３１に接続され、制御部１０内の音声処理部１８によって生成された音声をスピーカ装置３１より音声出力するよう信号の変換を行う。
【００２６】
通信ＩＦ部２４は、ネットワーク３２、サーバー４０を通じて外部のデータベース４１にアクセス可能である。コンテンツ検索部１４はデータベース４１より種々のコンテンツを検索し、通信ＩＦ部２４を通じて取得し、コンテンツ記憶部２１ｂに記憶する。
【００２７】
前述の制御部１０、ＲＡＭ２０、記憶部２１、表示ＩＦ部２２、音声再生ＩＦ２３、通信ＩＦ部２４はバス２６に接続されており、各部のデータや制御命令は、このバス２６を通じて伝達される。
【００２８】
このように、本発明の一実施形態に係わる再生装置は、通常市販されているパーソナルコンピュータと同等な機能であり、ネットワーク３２等を通じて外部のデータベースと接続されている。この再生装置は、これから説明する動作を実行するプログラムをプログラム２１ａに記憶している。このプログラムに係わるフローチャートを説明する前に、再生装置１における再生と編集について、図２乃至図２１を用いて説明する。
【００２９】
本実施形態でのマルチコンテンツの再生は、コンテンツ再生部１３のタイマによって過去の時間を適当な速さで進行させて、このタイマの時間で撮影日時になった画像を順番に再生する。それに合わせて、音楽、テキストあるいは背景画像も再生することによって、画面を華やかにするものである。まず、再生に先立って行われる編集の際に使用される編集リストについて図２乃至図４を用いて説明する。この編集リストには大きく分けて２種類あり、ひとつは図２に示す一括表示リストであり、他のひとつは図３および図４に示す時間別リストである。一括表示リストは、各コンテンツの日時に係わらず一括してコンテンツごとに連続して表示したリストであり、時間別リストは、それぞれのコンテンツごとに再生される日時情報に対応して配置したリストである。
【００３０】
本実施形態に係わる再生装置１において、操作部２５を操作してメニュー画面（不図示）を呼び出し、メニュー画面の中で編集画面を選択することにより、この編集リストが開かれる。前回、編集リストを終了する際に一括表示リストまたは時間別リストが開かれていた場合には、次回、編集リストを開く際にその開かれていたリストが開かれる。
【００３１】
編集リストとしての一括表示リストは、図２に示すように、最上段に年月日情報５１が表示される（図２の例では、２００７年８月３１日を示す）。この年月日情報５１は、コンテンツ再生部１３のタイマに管理される時間の情報である。年月日情報５１の下側には、コンテンツごとに並べた表が表示される。この横軸に示されるコンテンツとして、静止画５５（図２では、ＰＨＯＴＯと表記）、動画５６（図２では、ＭＯＶＩＥと表記）、音楽５７（図２ではＭＵＳＩＣと表記）、テキスト（ブログ）５８（図２ではＴＥＸＴと表記）、背景画像５９（図２ではＢＡＣＫＧＲＯＵＮＤと表記）がある。
【００３２】
静止画５５の列には、図２に示すようにｐｈｏｔｏ１、ｐｈｏｔｏ２、・・・と、再生対象となる静止画の画像が、縮小画像で日時情報順に配列される。動画５６の列には、ｍｏｖｉｅ１、ｍｏｖｉｅ２、・・・と、再生対象となる動画の代表画像が、縮小画像で日時情報順に配列される。音楽５７の列には、ｍｕｓｉｃ１、ｍｕｓｉｃ２、・・・と、再生対象となる音楽のＣＤジャケット等の画像の縮小画像や曲名が日時情報順に配列される。
【００３３】
テキスト５８の列には、ブログ等のテキストの先頭部分が日時情報順に配列される。背景画像５９としては、例えば、旅行先の地図等であり、この列には、ｉｍａｇｅＡ、ｉｍａｇｅＢ、・・・と、再生対象となる背景画像が縮小画像で日時情報順に配列される。なお、日時情報は、静止画５５や動画５６等は、撮影日時等の日時をそのまま使用するが、音楽５７や背景画像５９はダウンロードされた日時情報等をそのまま使用せず、再生表示する静止画５５等に合わせて変更する。この変更については、図１５乃至図２１を用いて説明する。
【００３４】
コンテンツの縮小画像等から構成されるコンテンツ表の左下側には、一括表示リストと時間別リストの切り替えを行うための表示切替ボックス５２が設けられている。図２の状態で表示切替ボックス５２をチェックすると、図３に示す時間別リストに編集画面が切り替わる。また、コンテンツ表の右下側には、再生アイコン５３（図２ではＰＬＡＹと表記）が配置されており、この再生アイコン５３をクリックすることにより、編集画面から再生画面に画面を切り替えられる。
【００３５】
このように一括表示リストにおいては、再生表示の対象となる複数のコンテンツが一目で分かる。また、静止画５５、動画５６等を縮小画像で表示していることから、コンテンツの内容を直感的に理解することができる。さらに、コンテンツごとに再生の順番も一目で分かる。再生の順番を変更したい場合には、マウス等で選択したコンテンツをドラッグアンドドロップにより移動させることにより可能である。
【００３６】
次に、図３を用いて編集リストの他の一つである時間別リストについて説明する。この時間別リストの画面の最上段左側には、図２の一括表示リストと同様に年月日情報５１が表示されている。また最下段左側には一括表示リストと同様に表示切替ボックス５２が配置され、右側には一括表示リストと同様に再生アイコン５３が配置されている。図３の時間別リストの画面が表示されている状態で、表示切替ボックス５２をチェックすると、一括表示リストの画面に切り替わる。
【００３７】
図３に示す時間別リストにおいても、複数のコンテンツを表形式で表示する。この表示にあたって、時間別リストにおいては、横方向の欄が各カテゴリに区分され、縦方向がコンテンツのそれぞれが再生される時系列で構成されたコンテンツマップとなっている。すなわち、横方向には、一括表示リストの場合と同様に、静止画５５、動画５６、音楽５７、テキスト５８、背景画像５９が配置されている。縦方向には、一括表示リストの場合とは異なり、時間帯６１を表示している。
【００３８】
図３の例では、時間帯６１は１時間単位で時間を表示しており、０時には音楽、テキスト、背景画像Ａが再生開始され、８時台になると、６枚の静止画（ｐｈｏｔｏ１〜ｐｈｏｔｏ６）、１つの動画（ｍｏｖｉｅ１）、１曲の音楽（ｍｕｓｉｃ２）、１つのテキスト、１枚の背景画像（ｉｍａｇｅＢ）が、それぞれコンテンツの下部に表示された再生開始時刻６２から再生が開始される。また、９時台になると、３枚の静止画（ｐｈｏｔｏ７〜ｐｈｏｔｏ９）、１つ動画（ｍｏｖｉｅ２）、１つのテキストが、それぞれコンテンツの下部に表示された再生開始時刻６２から再生が開始される。
【００３９】
このように、時間別リストでは、横方向にコンテンツの種類を、縦方向に時間軸をとり、同一時間帯ごとに再生順に沿ってコンテンツを並べて表示している。このため、コンテンツごとの再生順が一目で分かり、直感的にどのような再生がなされるか把握することができる。また、時間別リスト上で、不要なコンテンツを削除したり、追加したり、また再生タイミングを容易に変更することができる。例えば、削除はコンテンツを選択した後、削除キーによって削除すればよく、追加は他のコンテンツが記憶されているフォルダ等からドラックアンドドロップ等の操作により移動させてくればよい。さらに、時間別リスト上では、ドラックアンドドロップ等の操作により移動させることにより再生タイミングを変更することもできる。
【００４０】
なお、図３に示した時間別リストでは、時間帯６１を１時間単位としていたが、これに限らず、２時間単位でも、３０分単位でも適宜変更することができる。コンテンツが多い時間帯は、更にその時間帯のみを細分化しても勿論かまわない。
【００４１】
また、図３に示した時間別リストの例では、コンテンツが存在しない時間帯であっても（図の例では、１時台から７時台）、その時間帯を表示しており、このため、空白部分が生じている。長い時間に亘って全体を見渡せるように、コンテンツの存在しない時間帯を省略しても良い（図４参照）。図４に示す例では、コンテンツの存在しない時間帯を省略することにより、３日分の再生手順を一目で見渡すことができる。
【００４２】
このように、一括表示リストや時間別リストによる編集画面においては、コンテンツ記憶部２１ｂや記録再生部１５に記憶されている静止画および動画等の撮影画像や、ネットワーク３２を介して取得した音楽、ブログ等のテキスト、地図等の画像等を、日時情報に基づいて、自動的に編集リストが生成される。このため、ユーザーは、一つ一つのコンテンツを集めて編集する必要がなく、自動的に作成された編集リストに対して、ユーザーの意図に応じて修正を施すだけで済むので、大変便利である。
【００４３】
次に、本実施形態において使用される、コンテンツをコンテンツの作成日時等に基づいて再生表示する際に使用するサークル表示について図５を用いて説明する。このサークル表示はモニタ装置３０に表示され、年月日を選択するとき、およびコンテンツの再生表示に使用される。まず、年をサークル状に表示する年サークルＴＹがモニタ装置３０の表示画面に表示される。この年サークルＴＹに沿って、２００２年から各年が表示されており、この年の表示の中から２００７年を選択すると、２００７年を中心にして月サークルＴＭが表示される。なお、図５には、２００７年までしか表示されていないが、この年は適宜変更できる。
【００４４】
月サークルＴＭに沿って、１月から１２月までの月が表示され、この月の表示の中から８月（図５ではAug.と表示）を選択すると、８月を中心にして日サークルＴＤが表示される。この日サークルＴＤに沿って、日を表すドットが表示される。このドット表示の中から３１日に相当するドットを選択すると、３１日を中心にして時間サークルＴＴが表示される。
【００４５】
このように、年から順次選択すると、月、日、時間の順にサークルが表示され、図５に示す例では、２００７年８月３１日が選択されている。また、選択された年月日は、横一列に揃って各サークルの中心に表示されるので、選択された年月日を容易に確認することができる。なお、本実施形態においては、選択された年月日は、単に数字を表示しているだけだが、これに限らず、数字を枠付き表示したり、また枠付き表示に限らず、色を変更したり、点滅表示させたり種々の表示方法に変更しても良い。
【００４６】
次に、本実施形態におけるマルチコンテンツの再生について、図６および図７を用いて説明する。マルチコンテンツの再生にあたっては、前述したような再生させる過去の年月日の選択を行い、再生動作をスタートさせる。スタートすると再生画面上の現在時刻を表すカーソルＴＣは、時間サークルＴＴを所定の速度で移動する。この移動速度としては、例えば、過去の６時間を実際には１分で移動する程度とするが、適宜変更しても良い。時間サークルＴＴの周囲に沿って、指定された日に作成の各種コンテンツがコンテンツサムネイル画像として表示される。
【００４７】
本実施形態においては、２００７年８月３１日における旅行（沖縄）の思い出を回想するために順次コンテンツを再生する例を説明する。図６および図７に示す例では、２００７年８月３１日が選択され、２００７年８月３１日０時００分で再生をスタートする。時間サークルＴＴの周囲に沿って、８月３１日に作成された各種コンテンツがサムネイル表示されている。すなわち、コンテンツは作成した年月日時間に関する情報を有しており、この情報に基づいて、時刻に対応する位置に、サムネイル画像が配置されている。具体的には、時間サークルＴＴの８時から１１時に沿って、ｐｈｏｔｏ１からｐｈｏｔｏ１３のサムネイル画像が表示される。また、ｍｏｖｉｅ１、２、ｍｕｓｉｃ１、２、テキスト１、２、３、ｉｍａｇｅＡ、Ｂのサムネイルが対応する時間の位置に表示される。
【００４８】
図６は、２００７年８月３１日８時３０分の例であり、マルチコンテンツとして、ｐｈｏｔｏ４（静止画）、ｍｏｖｉｅ１（動画）、テキスト２、ｉｍａｇｅＢ（地図）が大きく再生表示される。カーソルＴＣは、タイマの時間、つまり再生状態における現在時を示すものである。ここで、テキスト１、ｍｕｓｉｃ１のサムネイルはｐｈｏｔｏ４によって隠れている。２００７年８月３１日８時２２分に撮影したｐｈｏｔｏ４は、カーソルＴＣが８時２０分に近づくにつれ次第に大きく表示される。ｐｈｏｔｏ（静止画）の再生表示は、撮影時間に近づくにつれてそのサイズを段々大きくし、かつ濃度も濃くしていく。そして、撮影時間から遠ざかるにつれてサイズを段々小さくし、かつ濃度も薄くしてフェードアウトさせる。ｍｏｖｉｅ１（動画）は、８時０６分より再生されている。
【００４９】
テキスト２（ブログ情報）も８時１５分から表示される。ブログは他人のブログでもよいし、また本人のブログを表示するようにしても良い。このブログ情報は外部のサーバー４０から検索されたものである。背景画像（ｉｍａｇｅＢ）として、沖縄の地図画像が表示されている。この例では、沖縄旅行で、画像等のコンテンツ等に撮影場所として記録されているＧＰＳ（Global Positioning System）情報に基づいて外部のサーバー４０から地図データを検索し、地図画像を背景画像として使用している。背景画像は画面、左方向にゆっくり移動させて表示する。画面に変化をもたせるためである。
【００５０】
このように、図６は、午前８時２０分での再生画面を示している。図３に示したように、８時台には、静止画５５としてｐｈｏｔｏ１〜ｐｈｏｔｏ６が、動画５６としてｍｏｖｉｅ１が、音楽としてはｍｕｓｉｃ２が再生されるように編集されており、また、８時台には、テキスト２が表示されように編集されており、また背景画像としてｉｍａｇｅＢが表示されるように編集されている。この編集リストに沿って、再生表示される。
【００５１】
さらに、カーソルＴＣが進み、図７に示す９時１５分になると、ｐｈｏｔｏ４の再生表示は終了し、ｐｈｏｔｏ７、８が表示されている。動画５６であるｍｏｖｉｅ２は９時３５分からなので、図７に示す状態では未だ再生が開始されていない。８月３１日０時からスタートして２４時に達すると、マルチコンテンツを組み合わせて表示するスライドショーを終了しても良いし、９月１日にそのまま進行しても良い。
【００５２】
このように、時間サークルＴＴ上を移動するカーソルＴＣの表す現在時刻が、各コンテンツに添付されている再生開始時刻６２に近づくと、それぞれのコンテンツの特性に応じてサムネイル画像から再生動作を開始するようにしている。
【００５３】
本実施形態の説明においては、１日単位、すなわち時間サークルＴＴ上のカーソルＴＣの移動に応じて順次コンテンツを切り替えて表示していたが、これに限らず、例えば、月単位、すなわち日サークルＴＤ上のカーソルＴＣの移動に応じて順次コンテンツを切り替えて再生するようにしても良い。
【００５４】
図６および図７に示す再生画面の右下には、編集リストの内容を確認するためのリストアイコン６４が配置されている。再生動作中に、このリストアイコン６４をクリックすると、編集プレビュー画面に切り替わる。
【００５５】
次に、この編集プレビュー画面について、図８乃至図１４を用いて説明する。この編集プレビュー画面には、シングル表示とマルチ表示があり、シングル表示は各コンテンツを一つずつ表示し、マルチ表示は各時間帯に表示されるコンテンツを一括して表示する。この表示の切り替えは、編集プレビュー画面の上から２段目のシングル表示ボックス７２ａと、その隣のマルチ表示ボックス７２ｂのいずれかをクリックすることにより行う。
【００５６】
まず、シングル表示の場合について図８乃至図１２を用いて説明する。編集プレビュー画面の最上段には、表示コンテンツ種類欄７１が配置されている。この表示コンテンツ種類欄７１には、コンテンツ表示面７３に表示されるコンテンツの種類を示す。図８の例では静止画であり（ＰＨＯＴＯと表記）、図９の例では動画であり（ＭＯＶＩＥと表記）、図１０の例では音楽であり（ＭＵＳＩＣと表記）、図１１の例ではテキストであり（ＴＥＸＴと表記）、図１２の例では背景画像（ＢＡＣＫＧＲＯＵＮＤと表記）である。
【００５７】
その次の段には、シングル表示ボックス７２ａ、マルチ表示ボックス７２ｂ、および設定アイコン７２ｃが並べて表示されている。シングル表示ボックス７２ａとマルチ表示ボックス７２ｂは前述したとおりである。設定アイコン７２ｃは、マルチ表示の時間幅を設定するためのアイコンであり、設定方法については図１４を用いて後述する。この時間幅は、図３における縦方向に配列された時間帯６１の幅であり、図３の例では１時間間隔で示したが、これ以外の時間幅に再設定することができる。
【００５８】
編集プレビュー画面における略中央部には、コンテンツ表示面７３が設けられており、ここにコンテンツとしての静止画５５、動画５６等が表示される。この表示の送り動作は、下段に配置された送りアイコン７４ｆをクリックすることにより行われる。図８から図１２の例は、図３における８時台の例であり、最初は静止画であるｐｈｏｔｏ１（再生開始時刻８時５分）がコンテンツ表示面７３に表示される。
【００５９】
次に、送りアイコン７４ｆをクリックすると、図９に示すように、動画であるｍｏｖｉｅ１（再生開始時刻８時６分）が表示される。ここでは動画の代表画像（静止画）がコンテンツ表示面７３に表示され、その後で動画が再生されるが、動画再生を行わないようにしても勿論かまわない。次に、送りアイコン７４ｆをクリックすると、図１０に示すように音楽であるｍｕｓｉｃ２（再生開始時刻８時１０分）がコンテンツ表示面７３に表示される。ここで、コンテンツ表示面７３には、ｍｕｓｉｃ２のＣＤジャケット等の静止画が表示され、また、スピーカ装置３１から音声出力されるが、ＣＤジャケット等の静止画を表示するだけで音声出力を行わないようにしても勿論かまわない。
【００６０】
次に、送りアイコン７４ｆをクリックすると、図１１に示すようにテキストであるブログの文章が表示される。次に、送りアイコン７４ｆをクリックすると、図１２に示すように背景画像であるｉｍａｇｅＢが表示される。
【００６１】
このように、シングル表示においては、送りアイコン７４ｆをクリックするたびに、コンテンツに添付されている日時情報（再生開始時刻６２）の順番に従って順次、送り再生される。また、戻しアイコン７４ｄをクリックするたびに、コンテンツに添付されている日時情報に順番に従って順次、戻し再生される。さらに、オートプレイアイコン７４ｅをクリックすると、コンテンツ表示を自動的に切り替え、スライドショーが可能となる。
【００６２】
コンテンツ表示面７３の下側は、横一列に表示コンテンツに応じた操作用のアイコン７４ａ〜７４ｉが配置されている。バックアイコン７４ａは図２から図４に示した編集リストの画面に戻るためのアイコンである。フルサイズ表示アイコン７４ｂはコンテンツ表示面７３に表示するコンテンツを画面一杯のフルサイズで表示するためのアイコンである。コンテンツ編集画面アイコン７４ｃは、コンテンツの編集画面（不図示）に切り替えるためのアイコンである。
【００６３】
左回転アイコン７４ｇ、右回転アイコン７４ｈはそれぞれ画像の表示を回転させるためのアイコンであり、トリミングアイコン７４ｉはコンテンツの画面比を４：３で表示させるためのアイコンである。
【００６４】
また、図９に示すような動画や、図１０に示すような音楽を再生する場合には、操作用のアイコンとして、上述したもの以外に、ムービー再生開始や音楽再生開始用のプレイアイコン７４ｊとムービー停止や音楽再生停止用の停止アイコン７４ｋが配置されている。
【００６５】
また、図１１に示すようなテキストを表示する場合には、操作用のアイコンとして、上述したもの以外に、表示されるテキストの文字の大きさを設定するための文字サイズアイコン７４ｍ、文字の字体（フォント）を設定するための字体アイコン７４ｎ、画面内でテキストの表示位置を移動させるための移動アイコン７４ｐが配置されている。
【００６６】
操作用のアイコンの表示列の下側には、表示するコンテンツの種類を指定するコンテンツチェックボックス７６が配置されている。図８から図１２に示したシングル表示の例では、静止画（ＰＨＯＴＯ）、動画（ＭＯＶＩＥ）、音楽（ＭＵＳＩＣ）、テキスト（ＴＥＸＴ）、背景画像（ＢＡＣＫＧＲＯＵＮＤ）の５つがチェックされていることから、全てのコンテンツがコンテンツ表示面７３に順次表示された。静止画と動画のみチェックしたい場合には、この２つのみをチェックし、他の３つはチェックを外せば良い。すなわち、表示コンテンツ種別欄７６に表示されている５個のカテゴリの中で、再生を希望するカテゴリのチェックボックスをクリックすることで、任意のカテゴリに属するコンテンツを時系列で、単独またはミックスカテゴリで再生表示することができる。
【００６７】
次に、編集プレビュー画面においてマルチ表示が選択された場合について、図１３および図１４を用いて説明する。マルチ表示が選択されると、コンテンツ表示面７３には、設定されている時間帯であって、コンテンツチェックボックス７６でチェックされたコンテンツが表示される。図１３に示した例では、８月３１日の８時台が選択されており、コンテンツチェックボックス７６には静止画、テキストおよび背景画像がチェックされていることから、ｐｈｏｔｏ１〜ｐｈｏｔｏ６、テキスト、ｉｍａｇｅＢが表示されている。コンテンツチェックボックス７６で、音楽、動画がチェックされていないことから、動画や音楽は表示されない。
【００６８】
この図１３に示した画面で、送りアイコン７４ｆをクリックすると、８時台から９時台に再生されるコンテンツに切り替わり、送りアイコン５４ｆをクリックするたびに、時間帯が送られる。また、戻しアイコン７４ｄをクリックすると、前日の表示に切り替わり、戻しアイコン５４ｄをクリックするたびに、時間帯が戻される。
【００６９】
編集プレビュー画面において、設定アイコン７２ｃをクリックすると、図１４に示すように、時間帯切替画面８６となる。この実施形態においては、時間帯は５分、１０分、３０分、６０分、１２０分の５つの中から選択するようにしてある。勿論、時間帯は、これ以外にも適宜、変えても良い。
【００７０】
このマルチ表示の編集プレビュー画面において、バックアイコン７４ａをクリックすることにより、図３乃至図５に示した編集リストの画面に戻ることができる。また、メニュー画面より再生アイコンをクリックすることにより、図６および図７に示した再生画面に戻ることができる。
【００７１】
次に、図３において示した時間別リストにおける音楽の登録について、図１５乃至図１７を用いて説明する。再生表示あたって、静止画や動画のバックグランドとして音楽を再生出力すると撮影時の雰囲気をかもし出すことができ効果的である。
【００７２】
静止画や動画は、これらの画像データに添付されている撮影日時順に再生するのが基本である。一方、音楽の場合、例えば、ダウンロードした音楽の場合にはダウンロード年月日が添付されていることが多い。このため、音楽に添付されている年月日情報に従うと、静止画や動画等の撮影画像にリンクして再生することができない。そこで、本実施形態においては、音楽を編集リスト上で編集する際に、再生上の日時の情報を添付するようにしている。
【００７３】
図１５は図３に示した時間別リストを表示し、これの音楽５７の列にｍｕｓｉｃ  Ｘを貼り付ける様子を示している。編集リスト画面に音楽フォルダの画面（ウインドウ）を重ねて表示する。音楽フォルダ８１は、ユーザーの再生装置（パーソナルコンピュータ）内にあり、音楽フォルダ８１内には、ＭＰ３やＷＭＡ等の形式で作成された音楽ファイルｍｕｓｉｃ  Ｍ、・・・ｍｕｓｉｃ  Ｘ、ｍｕｓｉｃ  Ｙ、ｍｕｓｉｃ  Ｚ等が格納されている。
【００７４】
図３に示した例では、音楽としては、ｍｕｓｉｃ１とｍｕｓｉｃ２の２つの音楽ファイルが配置されていた。図１５に示す例では、音楽フォルダ８１から音楽ファイルｍｕｓｉｃ  Ｘをドラッグアンドドロップ操作により、時間別リストの音楽５７のコラム中に移動させている。勿論、移動は別の操作によって行っても良い。
【００７５】
音楽フォルダ８１からｍｕｓｉｃ  Ｘを時間別リストの音楽５７の列に移動させると、図１６に示すように、登録先選択のための登録画面８３が表示される。登録画面８３には、登録先として、（１）ファイルの日付で登録、（２）ドラック＆ドロップした日に登録、（３）日付を指定して登録、の３つの選択肢が表示される。
【００７６】
ここで、２番目の「ドラック＆ドロップした日に登録」がデフォルトとして表示される。デフォルトを選べば、ドラックアンドドロップした先の日時が、再生時における日時情報として登録される。図１７は、デフォルトを選択した場合を示し、８月３１日９時００分が、ｍｕｓｉｃ  Ｘの再生時における日時情報として登録され、この日時が再生開始時刻となる。時間別リストでは、時間帯ごとにコンテンツが表示されていることから、デフォルトでは音楽ファイルが移動した場合には、その時間帯の先頭の時間を登録する。なお、先頭時間を登録する以外にも、例えば、その時間帯に属する撮影画像（静止画や動画）の中で最も早い撮影時間に相当する時間を登録するようにしても良い。
【００７７】
次に、図２において示した一括表示リストにおける音楽の登録について、図１８乃至図２１を用いて説明する。図１８は図２に示した一括表示リストを表示し、これの音楽５７の列に音楽フォルダ８１内に格納されているｍｕｓｉｃＸを貼り付ける様子を示している。
【００７８】
図２に示した例では、音楽としては、ｍｕｓｉｃ１〜ｍｕｓｉｃ７の７つの音楽ファイルが配置されていた。図１８に示す例では、音楽フォルダ８１から音楽ファイルｍｕｓｉｃＸをドラッグアンドドロップ操作により、一括表示リストの音楽５７のコラム中に移動させている。勿論、移動は別の操作によって行っても良い。
【００７９】
音楽フォルダ８１からｍｕｓｉｃＸを時間別リストの音楽のコラムに移動させると、図１９に示すように、登録先選択のための登録画面８４が表示される。登録画面８４には、登録先として、（１）ファイルの日付で登録、（２）ドラック＆ドロップした日に登録、（３）日付を指定して登録、の３つの選択肢が表示される。一括表示の場合には、再生開始時刻が直ちには分からず、また、他の静止画や動画との関係が不明確であることから、（２）の「ドラッグ＆ドロップした日に登録」は、ディスエネイブル表示とし、実質的に選択できないようにしている。したがって、（１）または（３）のいずれかが選択可能である。
【００８０】
ここで、３番目の「日付を指定して登録」がデフォルトとして表示される。このデフォルトを選ぶと、図２０に示すような日時指定画面８５が表示される。日時指定画面８５には、変更前の日時が表示される。この変更前の日時は、通常はインターネットを介してダウンロードされた日である。また、日時指定画面８５には、変更後の日時が表示され、年月日および時刻をプルダウンで選択できるようになっている。日時指定画面８５の下段に配置されたＯＫをクリックすると、日時の指定が終了する。
【００８１】
図２０に示した例では、２００７年８月３１日９時を指定したことから、日時の指定が終了すると、図２１に示すように、音楽５７のコラム中において、ｍｕｓｉｃ２とｍｕｓｉｃ３の間に、ｍｕｓｉｃＸが配置される。
【００８２】
このように、時間別リストまたは一括表示リストの編集画面を開き、音楽フォルダ８１（音楽メニュー）から所望とする音楽ファイルを、音楽５７の列中に移動させることにより、簡単に音楽と静止画等の再生をリンクさせることができる。特に時間別リストの場合には、移動先の日時情報がそのまま音楽の日時情報とすることができるので、きわめて簡便である。なお、ｍｕｓｉｃＸ等の音楽ファイルは音楽フォルダ８１に格納されていたが、デスクトップ等に直接、配置された場合でも、ドラックアンドドロップ等により移動させればよい。
【００８３】
なお、本実施形態においては、音楽５７に関するデータについてのみ編集リスト以外のフォルダより移動させ、これを編集リストに登録する例を説明した。しかし、音楽に限らず、他のコンテンツについても、同様な手法により編集リストに登録することができる。
【００８４】
次に、図２２に示したフローチャートを用いて、上述の編集および再生を行なわせる手順について説明する。本実施形態における編集および表示を行なうプログラムがスタートすると、まず、編集モードが指示されているか否かの判定を行う（Ｓ１１）。このステップにおける判定の結果、編集モードが指示されていなかった場合には、マルチ再生実行処理を行う（Ｓ２４）。
【００８５】
マルチ再生実行処理では、図２乃至図４に示した編集リストに従ってコンテンツの再生を行う。マルチ再生実行処理は、図５乃至図７を用いて説明したように、再生の開始年月日と時刻を決め、再生を開始させると、時間サークルＴＴ上をカーソルＴＣが移動するにつれて、撮影日時順に静止画５５、動画５６が順次再生され、またこの撮影日時にリンクした再生用の日時情報に従って音楽５７、テキスト５８、背景画像５９が順次再生される。これらのマルチ再生実行処理は、コンテンツ再生部１３等によって実行される。
【００８６】
ステップＳ１１における判定の結果、編集モードの指示があった場合には、次に、一括リスト表示の指示か否かの判定を行う（Ｓ１２）。編集モードには、一括表示リストと時間別リストのいずれかを表示するので、このステップでは、一括リスト表示か否かを判定する。前回、編集モードにおいて一括表示リストを表示していた場合には、図２に示した一括表示リストを表示する（Ｓ１３）。この一括表示リスト表示の処理は、コンテンツ編集部１２等によって行われる。
【００８７】
ステップＳ１３において一括表示リストの表示を行うと、またはステップＳ１２における判定の結果、一括表示リストの指示でなかった場合には、次に、時間別リスト表示か否かの判定を行う（Ｓ１４）。この判定の結果、時間別リスト表示であった場合には、すなわち、前回の編集モードにおいて、時間別リストを表示していた場合には、図３に示した時間別リストの表示を行う（Ｓ１５）。この時間別リスト表示の処理は、コンテンツ編集部１２等によって行われる。
【００８８】
ステップＳ１５において時間別リストの表示を行うと、またはステップＳ１４における判定の結果、時間別リストの指示でなかった場合には、次に、音楽登録の指示か否かの判定を行う（Ｓ１６）。このステップでは、音楽フォルダ８１から音楽ファイルの移動がなされているか否かを判定する。この判定の結果、音楽登録の指示があった場合には、図１５乃至図２１において説明したように、音楽ファイルを編集画面において登録処理する（Ｓ１７）。この音楽登録処理は、コンテンツ編集部１２等によって行われる。
【００８９】
ステップＳ１７における音楽登録処理を行うと、またはステップＳ１６における判定の結果、音楽登録の指示がなかった場合には、編集プレビューの指示か否かの判定を行う（Ｓ１８）。編集プレビューは、編集画面上では、メニュー画面から編集プレビューアイコンをクリックすることにより実行され、再生画面ではメニュー画面から編集プレビューアイコンをクリックすることにより実行されるので、このステップでは、編集プレビューアイコンがクリックされたか否かを判定する。
【００９０】
ステップＳ１８における判定の結果、編集プレビューの指示があった場合には、次にシングル再生表示の指示か否かの判定を行う（Ｓ１９）。このステップでは、シングル表示ボックス７２ａがクリックされているか否かの判定により行う。判定の結果、シングル再生表示であった場合には、図８乃至図１２に示したシングル再生表示による再生処理を行う（Ｓ２０）。シングル再生処理は、コンテンツ編集部１２等によって行われる。
【００９１】
シングル再生処理を行うと、またはステップＳ１９においてシングル再生指示でなかった場合には、マルチ再生指示か否かの判定を行う（Ｓ２１）。このステップでは、マルチ表示ボックス７２ｂがクリックされているか否かの判定により行う。判定の結果、マルチ再生表示であった場合には、図１３及び図１４に示したマルチ再生表示による再生処理を行う（Ｓ２２）。マルチ再生処理は、コンテンツ編集部１２等によって行われる。
【００９２】
ステップＳ２２のマルチ再生処理を行うと、またはステップＳ２１における判定の結果、マルチ再生指示でなかった場合、またはステップＳ１８における判定の結果、編集プレビュー指示でなかった場合、またはステップＳ２４においてマルチ再生実行処理を行うと、次に、終了指示があるか否かの判定を行う（Ｓ２３）。すなわち、この編集および再生のプログラムの終了指示がなされているか否かの判定を行う。この判定の結果、終了指示がなされていなかった場合には、ステップＳ１１に戻り、前述のステップを実行する。一方、終了指示がなされていた場合には、このフローを終了する。
【００９３】
以上説明したように、本発明の一実施形態においては、編集リスト（図２、３、４参照）に音楽のコンテンツを登録する際には、音楽のオブジェクトが表された音楽メニュー（音楽フォルダ８１）を編集リストとともに表示して、音楽メニューから編集リストの音楽コンテンツの領域移動された音楽オブジェクト（図１５のｍｕｓｉｃＸ参照）について、音楽オブジェクトの移動された位置を時間軸に基づいて日時に換算して、その日時を音楽コンテンツの再生タイミングの基準として、その音楽を登録するようにしている。このため、音楽コンテンツを適切に組み合わせ設定することができる。
【００９４】
なお、本発明の一実施形態においては、ユーザー（個人）が撮影により取得した画像（ユーザー画像）と、外部のデータベース４１から取得した画像（事業者から提供される提供画像）とを、組み合わせて再生することについて説明した。しかし、これに限らず、ユーザー（個人）とは異なる他の撮影者の撮影によって取得した画像データと組み合わせて再生するようにしても勿論かまわない。
【００９５】
また、本発明の一実施形態においては、画像の再生として、スライドショーを代表例として説明したが、これに限らず、例えば、通常の１コマ再生時の再生順番に適用し、個人画像データを再生するときの時間の前後に、個人画像データの撮影場所と同じ場所またはその付近で撮影された提供画像を再生するようにしても良い。
【００９６】
さらに、本発明の一実施形態においては、提供画像データは、ネットワーク３２を介して入手していたが、これに限らず、再生装置１以外の各種外部装置、例えば、カメラ、パーソナルコンピュータ、画像編集装置、外部メモリ等から入手するようにしても良い。
【００９７】
さらに、本発明の一実施形態において、ＣＰＵ１１の処理に関しては、一部または全てをハードウエアで構成してもよい。逆に画像作成部のハードウエアをソフトウエアで構成してもよい。具体的な構成は設計事項である。プログラムを格納する記録媒体としては、本実施形態としてはフラッシュメモリを用いていたが、これに限らず、例えば、ＣＤ−ＲＯＭ、ＤＶＤ等の光学記録媒体、ＭＤ等の磁気記録媒体、テープ媒体、ＩＣカード等の半導体メモリでも勿論構わない。また、コンテンツ編集部１２を、ハードウエアで構成されるコンテンツ編集装置あるいは編集装置としても良い。
【００９８】
さらに、本発明の一実施形態においては、一括表示リストや時間別リストにおいて、マルチコンテンツの各データをそれぞれ表すオブジェクトとして、縮小画像を表示するようにしていたが、これに限らず、アイコンやデータのファイル名を表示するようにしてもかまわない。
【００９９】
本発明の一実施形態の説明にあたっては、再生装置１として、パーソナルコンピュータに適用した例を挙げたが、これに限らず、例えば、インターネットに接続可能なテレビ等でも良い。いずれにしても、マルチコンテンツを記憶し、再生可能な機器であれば本発明を適用できる。
【０１００】
また、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【０１０１】
【図１】本発明を適用した一実施形態に係わる再生装置の構成を示すブロック図である。
【図２】本発明の一実施形態における一括表示リストの構造を示す図である。
【図３】本発明の一実施形態における時間別リストの構造を示す図である。
【図４】本発明の一実施形態における他の時間別リストの構造を示す図である。
【図５】本発明の一実施形態におけるサークル表示の説明図である。
【図６】本発明の一実施形態に係わる再生装置の表示画面におけるマルチコンテンツの再生表示を示す図であり、８月３１日８時２０分における画面である。
【図７】本発明の一実施形態に係わる再生装置の表示画面におけるマルチコンテンツの再生表示を示す図であり、８月３１日９時１５分における画面である。
【図８】本発明の一実施形態におけるシングル表示における編集プレビュー画面を示す図である。
【図９】本発明の一実施形態におけるシングル表示における編集プレビュー画面を示す図である。
【図１０】本発明の一実施形態におけるシングル表示における編集プレビュー画面を示す図である。
【図１１】本発明の一実施形態におけるシングル表示における編集プレビュー画面を示す図である。
【図１２】本発明の一実施形態におけるシングル表示における編集プレビュー画面を示す図である。
【図１３】本発明の一実施形態におけるマルチ表示における編集プレビュー画面を示す図である。
【図１４】本発明の一実施形態におけるマルチ表示における編集プレビュー画面を示す図である。
【図１５】本発明の一実施形態における時間別リストにおける音楽登録画面を示す図である。
【図１６】本発明の一実施形態における時間別リストにおける音楽登録画面を示す図である。
【図１７】本発明の一実施形態における時間別リストにおける音楽登録画面を示す図である。
【図１８】本発明の一実施形態における一括表示リストにおける音楽登録画面を示す図である。
【図１９】本発明の一実施形態における一括表示リストにおける音楽登録画面を示す図である。
【図２０】本発明の一実施形態における一括表示リストにおける音楽登録画面を示す図である。
【図２１】本発明の一実施形態における一括表示リストにおける音楽登録画面を示す図である。
【図２２】本発明の一実施形態に係わる再生装置のメインフローの動作を示すフローチャートである。
【符号の説明】
【０１０２】
１・・・再生装置、１０・・・制御部（ＣＰＵ）、１１・・・コンテンツ管理部、１２・・・コンテンツ編集部、１３・・・コンテンツ再生部、１４・・・コンテンツ検索部、１５・・・記録再生部、１６・・・画像処理部、１７・・・画面作成部、１８・・・音声処理部、２０・・・ＲＡＭ、２１・・・記憶部、２１ａ・・・プログラム記憶部、２１ｂ・・・コンテンツ記憶部、２２・・・表示ＩＦ部、２３・・・音声再生ＩＦ部、２４・・・通信ＩＦ部、２５・・・操作部、２６・・・バス、３０・・・モニタ装置、３１・・・スピーカ装置、３２・・・ネットワーク、４０・・・サーバー、４１・・・データベース、５１・・・年月日情報、５２・・・表示切替ボックス、５３・・・再生アイコン、５５・・・静止画、５６・・・動画、５７・・・音楽、５８・・・テキスト、５９・・・背景画像、６１・・・時間帯、６２・・・再生開始時刻、６４・・・リストアイコン、７１・・・表示コンテンツ種類欄、７２ａ・・・シングル表示ボックス、７２ｂ・・・マルチ表示ボックス、７２ｃ・・・設定アイコン、７３・・・コンテンツ表示面、７４ａ・・・バックアイコン、７４ｂ・・・フルサイズ表示アイコン、７４ｃ・・・コンテンツ編集画面アイコン、７４ｄ・・・戻しアイコン、７４ｅ・・・オートプレイアイコン、７４ｆ・・・送りアイコン、７４ｇ・・・左回転アイコン、７４ｈ・・・右回転アイコン、７４ｉ・・・トリミングアイコン、７４ｊ・・・プレイアイコン、７４ｋ・・・停止アイコン、７４ｍ・・・文字サイズアイコン、７４ｎ・・・字体アイコン、７６・・・コンテンツチェックボックス、８１・・・音楽フォルダ、８３・・・登録画面、８４・・・登録画面、８５・・・日時指定画面、８６・・・時間帯切替画面、ＴＣ・・・カーソル、ＴＴ・・・時間サークル、ＴＤ・・・日サークル、ＴＭ・・・月サークル、ＴＹ・・・年サークル
【図１】
2009290403.tif 000003
【図２】
2009290403.tif 000004
【図３】
2009290403.tif 000005
【図４】
2009290403.tif 000006
【図５】
2009290403.tif 000007
【図６】
2009290403.tif 000008
【図７】
2009290403.tif 000009
【図８】
2009290403.tif 000010
【図９】
2009290403.tif 000011
【図１０】
2009290403.tif 000012
【図１１】
2009290403.tif 000013
【図１２】
2009290403.tif 000014
【図１３】
2009290403.tif 000015
【図１４】
2009290403.tif 000016
【図１５】
2009290403.tif 000017
【図１６】
2009290403.tif 000018
【図１７】
2009290403.tif 000019
【図１８】
2009290403.tif 000020
【図１９】
2009290403.tif 000021
【図２０】
2009290403.tif 000022
【図２１】
2009290403.tif 000023
【図２２】
2009290403.tif 000024